(57)【特許請求の範囲】
【請求項１】
墓石水鉢の水槽下方部と墓石生花筒内を水路で接続させ、
前記生花筒の上方部に排水口を設けることを特徴とする墓石循環排水生花筒。
【請求項２】
請求項１記載の前記生花筒の上部に献花の茎が挿せる程度の挿し込み口を有した蓋を被せることを特徴とした請求項１記載の墓石循環排水生花筒。    
【請求項３】
請求項１記載の前記生花筒を複数用いる場合、
墓石水鉢の水槽内に仕切りを入れ、
複数の前記生花筒各々に個々の前記水槽の水たまりを宛がわせる形で水路接続することを特徴とした請求項１又は２記載の墓石循環排水生花筒。
【請求項４】
請求項１記載の前記生花筒を複数用いる場合、
墓石水鉢に複数の水槽を設け、
複数の前記生花筒各々に前記複数の水槽夫々を宛がわせる形で水路接続することを特徴とした請求項１から３何れか１項記載の墓石循環排水生花筒。
【請求項５】
水鉢を真上から対面すると、
水鉢の水槽から生花筒へ通ずる水路の角度を生花筒内内円の中心から偏心させ、
前記水鉢の水槽から水路で生花筒内の内側面に沿う様に水を流入させる水路口を設けることを特徴とした請求項１から４何れか１項記載の墓石循環排水生花筒。
【発明の詳細な説明】
【技術分野】
【０００１】
平成２３年１月期を跨ぎ東京では、前年の大晦日から連続38日間、乾燥注意報が発令された。墓参の折、墓前に手向けられている献花の多くが枯れ果てて、お花がかわいそうと思った。当該解決のため本発明は、献花の生花に水分を補給して出来得る限り良好に保たせることと、降雨時という気象条件下ではあるが、生花筒内の生花の茎から発生する老廃物で混ざる汚濁水を前記生花筒内で押し上げながら排水させて前記生花筒内の水を清潔にすること、前記生花筒と水鉢の水槽の水位を同一一定に整わせることで衛生面と美観への配慮を備えた墓石に関する分野である。
【背景技術】
【０００２】
お墓が有している特徴は、人が利用する物の中でもかなり独特の存在と言え、それ故に相当保守的なことから商品の買換えサイクルが極めて長く、情緒やビジネスの採算面から技術の進歩自体があまり望まれてこなかった分野とも言える。墓前に手向けられている生花の水分補給については、（特許文献１参照）生花筒の形態を既存の墓用生花筒よりも、活け水の水量が相対的に多くなるように工夫されていることに加え、生花筒に蓋を設けることで水分の蒸発防止と生花筒内で産卵する害虫の発生を減らす効果を提唱している。しかし、生花筒内の生花の茎から発生する老廃物による汚濁水を清潔にする配慮と、降雨で齎された雨水が有効利用されていないことや、前記水分の蒸発防止と生花筒内で産卵する害虫の発生を減らす効果を得るには献花の際に挿せる生花量の多い少ない双方に制約がある、等々の指摘ができる。
【０００３】
墓前に手向けられている生花は切り花である以上、適正な水分補給が成されていても一定時間を経ると不可避に枯れるが、特許文献２参照については、生花に限らず植物全般の長い期間に亘る水分補給を目的としており、気象条件に左右されることなく装置の自己発電の動力で冷媒を圧縮し、液体蒸発時の吸熱効果で大気中の水分を液体化した水を植物に供給している。しかしながら、複雑な構造や大掛りな外観で独特の存在でもあるお墓に用いることは、人の心情として馴染むのかが疑問である。
【０００４】
生花筒へ降雨という気象条件を利用して水分補給を行う方法として、生花筒と同等の高さに水槽を設けて前記生花筒内の水の補給と水位高の安定を齎すために、前記水槽には降雨の際の雨水を漏斗で前記水槽に水を蓄える方式があるが、（特許文献３参照）生花筒内の生花の茎から発生する老廃物によって汚濁された水を清潔に換えることへの配慮と、水槽設置の場所如何によっては外観的にお墓という相当程度保守的で心情を大切にする性質のものに染むか、その上、遺骨の埋葬されている近くの地下に水路のパイプを埋設することへの心情面の抵抗感と、工事施工面からも手数である。
【先行技術文献】
【特許文献】
【０００５】
【特許文献１】特開２００８−０３８５８０号公報
【特許文献２】特開２００７−２７４９３８号公報
【特許文献３】特開２００６−０４２６６２号公報
【発明の概要】
【発明が解決しようとする課題】
【０００６】
墓前に手向けられている生花筒内の生花の茎部分に対して高い水位での長時間の水補給と、前記生花から排出される老廃物で汚濁した前記生花筒内の汚濁水を排出することと、墓石の衛生面と美観の観点からも生花筒内と水鉢の水槽の水位を同一一定に整わせることを課題とし、本発明は、該課題の解決を相当程度見込める墓石循環排水生花筒である。
【課題を解決するための手段】
【０００７】
本発明は、左右２本の生花筒１L１Rと水鉢２で一体構成させ、前記水鉢２の水槽内∇に泥等の沈殿物が溜まる範囲を考慮に入れた少し高い位置の下方部に水路口を配置し、該生花筒１L1Rの泥等の沈殿物が溜まる範囲を考慮に入れた下方部に水路１L1Rで繋げ、前記水鉢２を複数に仕切るか複数個の水槽を設けて前記生花筒１L1R各々に個々の水鉢の水たまりを宛がわせ、前記水鉢２水槽内∇の水ωの水位をバランスの取れた高さに整わせる様に前記生花筒１L1Rの上方部に排水口５を設け、一層の循環能力を高めるために前記生花筒１L1Rの最上部に蓋７を設置し、該蓋７は献花の生花の茎が挿せる程度の挿し込み口８を有する。これらの構造を用いることで[０００６]の課題を解決しようとする墓石循環排水生花筒。
【０００８】
本発明の生花筒１L1Rを真上から臨むと、水鉢２からの清潔な水を前記生花筒１L1Rへの流入の方法として、前記生花筒内内径の中心Φに水路４L４Rの水路口を設置すると該生花筒内の水を掻き乱してしまうが、降雨の殆どが地上にある溜め水よりも降雨で齎される水の方が低温という気象特性と、相対的に低温の水は高温の水の下に沈み込む特性から、水路４L4Rの水路口の流入角度σを前記中心Φから偏心させて生花筒４L４R内の内側面に沿って低温の前記清潔な水を円状に回転させながら流入を続けるとサイクロン状態を生成しつつ、低温の前記清潔な水が既存の相対的に高温の汚濁水との間で階層状態を保ちながら前記生花筒内１L1Rの前記汚濁水を層流状態で安定的に押し上げる形で前記生花筒内１L1Rの前記汚濁水を前記排出口５から排出させる。
【発明の効果】
【０００９】
既存の献花用の生花筒を用いると、生花自体の茎を通した水分の吸収と大気への蒸発で水位の低下が原因で本来の生花の寿命を全う出来ずに枯れてしまうこともあるが、本発明では、水鉢２の水槽∇内で貯水された水ωも利用するため、生花筒内１L1Rの水位を既存の生花筒よりも長時間に亘り高水位を維持しての水分補給が可能であり生花の寿命の全うが見込め、及んで、水鉢２の水槽∇と生花筒１L１Rを繋ぐ水路４L4Rが長いために前記生花筒１L1R内の汚濁水が前記水鉢２の前記水槽∇に流入することも殆どないことから前記水槽∇内の水の清潔が保たれる。
【００１０】
墓参の折、清掃後の献花及び水鉢への水やりでは、既存の生花筒と水鉢の水槽では水が溢れんばかりになり墓石が水だらけで衛生面での不安や害虫等の発生要因となるが、本発明では、水鉢２の水槽∇の水位と生花筒１L1R内の水位を排水口５の位置と同一の高さとすることが可能で前記生花筒１L1Rと前記水槽∇の水位を美観的に整えるとともに、衛生面への配慮や害虫等の発生要因を削ぐことが可能。
【００１１】
この上、降雨時という気象条件ではあるが、該生花筒１L1R内の汚濁水を前記水鉢２の水槽∇からの流入水を利用して前記生花筒１L1R内の前記汚濁水が押し上げられる形で排出口５を介し排水することで前記生花筒１L1R内の水の清潔を相当程度改善が見込める本発明の墓石循環排水生花筒である。蛇足ではあるが、本発明を献花されている生花や献花する人々の心を心慮し、多くの方々の利用を心より希求する。
【図面の簡単な説明】
【００１２】
【図１】本発明に係る墓石の全体構成を示す実施例。
【図２】本発明で構成させ得る生花筒と水鉢の正面図(a)と側面図(b)。
【図３】生花筒の正面図。
【図４】生花筒の蓋の正面図(a)と側面図(b)。
【発明を実施するための形態】
【００１３】
本発明の墓石循環排水生花筒は生花筒１L1Rと水鉢２で一体構成とし、前記水鉢２の水槽∇の中央付近に仕切り３を設けて該水槽∇の下方から前記生花筒１L1Rの下方へ水路４L4Rを作り、前記生花筒１L1Rの上方には排水口５を配し、水ωを水鉢２の水槽∇に注ぐと前記排水口５の水位で見栄え良く一定の水位で維持されていることを図１で示している。
【００１４】
前記生花筒１L1Rに献花の生花を挿してある状態では、該生花の葉によって降雨の際の水が前記生花筒内への浸入を一定程度防ぐが、前記生花筒内のより一層の排水効果を高める為に前記生花筒の上端に蓋７を設置することを図１で示している。
【００１５】
図２は生花筒１L1Rと水鉢２を示しているが、正面から対面して左右に傾いた場合、前記生花筒１L1Rの左右どちらか片方のみに偏っての排水となる可能性があるが、仕切り３を設けることで左右の前記生花筒１L1R各々が前記水鉢２の水槽∇内で仕切られた個々の水たまりに宛がわせていることを示している。
【００１６】
水鉢２の水槽∇内の泥等の沈殿物対策として溜池αを、他に前記生花筒には生花から排出される老廃物を沈殿させて置くスペースβを設けることで、前記水槽∇内と前記生花筒１L１Rの水路口を塞がせない為の対策を施しているのを示す図２である。
【００１７】
降雨の場合、前記生花筒１L1R内の内側面に沿って円状に回転しながら前記水鉢２の前記水槽∇からの水を流入させて既存の前記生花筒１L1R内の水と比較して相対的に低温の水を前記生花筒内１L1Rの側面に沿って層流状に安定させながら前記低温の水を充填させ、前記生花筒内１L1Rの相対的に高温の汚濁水を押し上げながら排水する構造を示している図２である。
【００１８】
図２（ｂ）は、水路口４L４Rを前記生花筒１L1Rの内径の中心Φから生花筒１L1R内に流入する水路口の角度σを偏心させることで、前記生花筒１L1R内の相対的に高温の既存の汚濁水との間で階層状態を保ち、相対的に前記低温の水が相対的に高温の既存の前記汚濁水を、前記生花筒１L1R内をサイクロン状に押し上げながら、排出口５から既存の前記汚濁水を排水させていることを示している。
【００１９】
本発明の前記生花筒１L1Rの前記排水口５は、本発明装置が正面に向かって左右に傾いたことを想定して背面の中央に配しているが、人からは見えにくい背面であったとしても排水時の汚濁水が前記生花筒１L1R背面の排水口より散じながら零れ落ちることから、前記排水口５から汚濁水を誘導する排水溝６を彫る事で汚濁水が前記排水溝６に誘導される形となって見栄え良く排水でき、更に、本発明の水鉢２と生花筒１L１Rの土台の石盤にも汚濁水が散じないよう前記石盤を加工し、景観を損なうことなく、且つ速やかに汚濁水を地中に吸収できるように配慮したい。
【００２０】
図４前記生花筒１L1Rの上に被せる前記蓋７は、生花の挿し入れ出しが容易な範囲の挿し込み口８を設け、前記蓋７によって前記生花筒１L1R外に雨水を導くことと、意匠的にも良好なことから傾斜９を付けた。
【実施例１】
【００２１】
水鉢により多くの雨水を注ぐために前記水鉢の上面に水槽に向かって傾斜を付けることで、前記水鉢上面全体に降り注いだ雨を前記水槽に流入させることで、前記水槽への貯水と本発明の循環排水の能力をより一層高めることが可能である。
【実施例２】
【００２２】
本発明の生花筒内の形状を泥等の沈殿物が溜まる範囲を考慮に入れ底の方を締める形で円錐状にすると、水鉢の水槽からの流入水でよりサイクロン状態を生成し易くし、既存の汚濁水を層流状でより押し上げ易く出来る可能性がある。そして生花を挿した場合、茎の下端を束ねる形となり上方の生花が纏まって綺麗に観賞できる。
【実施例３】
【００２３】
墓前にある生花筒内の清掃を容易に行うため、該生花筒内にステンレス製等の筒用カバーを用いることも一考である。この場合、前記筒用カバーが水鉢から流入する水路口と前記生花筒上方にある排水口を塞がない形で前記筒用カバーに開口部を設け、該両開口部が前記水路口と前記排水口を正しく宛がわせる為には、前記ステンレス製の筒用カバーと生花筒に段差を付けて一定角度にしか嵌められないよう工夫する。
【実施例４】
【００２４】
〔００２３〕の〔実施例３〕の他に水鉢と生花筒を分離する方法もあり、その際、水路の繋ぎ目から水漏れを防ぐために水漏れ防止の継手や前記水鉢と前記生花筒の合わせ目にゴムパッキン等を用いることで、墓前にある前記生花筒内の清掃を容易にすることも可能。
【００２５】
前記継手を前記水鉢と前記生花筒の下にある石盤と平行に前記継手を配すると各々の分離が容易になり、該石材加工の方法として、前記生花筒に前記石盤と平行にドリル穴を開け、該ドリル穴と同じ位置の前記水鉢側にも前記平行を維持しながらドリル加工を途中まで行い、加えて、前記水鉢の前記水槽からもドリルで穴あけ加工を行い、該加工は角度を考慮しながら前記水鉢側面から行った前記ドリル穴まで貫通させることで、前記水鉢内の水路を屈曲させて貫通させる加工法も一例である。
【符号の説明】
【００２６】
１L    左側生花筒
１R    右側生花筒
２     水鉢
３     仕切り
４L    左側水路
４R    右側水路
５     排水口
６     排水溝 
７     蓋（生花筒）
８     挿し込み口
９     蓋の傾斜部
α     溜池
β     老廃物沈殿スペース
∇     水槽
ω     水
Φ     生花筒の内径の中心
σ     水路口の流入角度
【図１】
0005438054.tif 000002
【図２】
0005438054.tif 000003
【図３】
0005438054.tif 000004
【図４】
0005438054.tif 000005